(57)【要約】      （修正有）【課題】古新聞を箱から取り出さずに束ねることが出来、箱の置き場に困らない古新聞、雑誌の結束箱を提供する。【解決手段】底板４と、底板の対向する２辺に４枚立設する側面板（大）１と、側面板（大）から内側に向け直交連設して底板に立設する４枚の側面板（小）２と、側面板（大）から同一方向の外側に延設され底板に立設する４枚の外板３と、古紙、新聞紙を束ねる紐が巻かれた巻紐６と、底板に連設して設けられた巻紐を収納する巻紐置箱５とからなり、側面板（大）及び側面板（小）は、それぞれ隙間を空けて立設し、隙間に位置する底板上面には一段窪んだ紐通し溝が穿設されている。紐を切らずに紐通し溝から各板外部側面へと８の字に通し、その上に新聞が溜まり縛る時に８の字の紐の４隅を持ち上げることで、古紙、新聞紙を取り出さずに束ねる事が出来る。【選択図】図１
0003202216.tif 000002
【実用新案登録請求の範囲】
【請求項１】
底板と、前記底板の対向する２辺に４枚立設する側面板（大）と、前記側面板（大）から内側に向け直交連設して底板に立設する４枚の側面板（小）と、前記側面板（大）から同一方向の外側に延設され底板に立設する４枚の外板と、古紙、新聞紙を束ねる紐が巻かれた巻紐と、前記底板に連設して設けられた前記巻紐を収納する巻紐置箱とからなり、前記側面板（大）及び側面板（小）は、それぞれ隙間を空けて前記側面板に立設し、その隙間に位置する前記底板上面には一段窪んだ紐通し溝が穿設されており、前記紐を切らずに前記底板の前記紐通し溝から前記底板から立設する前記各板外部側面へと８の字に通す、二重縛りをするには前記紐を切らずに８の字を二回り通して置き、その上に新聞が溜まり縛る時に前記８の字の紐の４隅を持ち上げることで、古紙、新聞紙を取り出さずに束ねる事が出来る古新聞、雑誌の結束箱。
【請求項２】
前記側面板（大）、（小）及び外板は、古新聞、雑誌を縛り上げる際、セットした前記紐がスムーズに移動する様に縁を曲線状にして、中蓋を付けて上部を有効利用出来ることを特徴とする請求項１に記載の古新聞、雑誌の結束箱。
【考案の詳細な説明】
【技術分野】
【０００１】  本考案は、読み終わった古新聞、雑誌を収納したとこから取り出したりしないで、簡単に束ねられる事の出来る結束箱に関する。
【背景技術】
【０００２】  従来の古新聞入れは、収納箱だけの物で、取り出す作業が必要なうえ、束ねる時に紐と新聞や雑誌が崩れて面倒な作業となる。女性や高齢者には、力のいる作業となり手間が掛り嫌がられている。紐をセットし束ねられる物が考案されているが、紐のセットや結束が簡単に出来て部屋に置ける様な物は無い。
【考案の概要】
【考案が解決しようとする課題】
【０００３】  従来の古新聞入れは、単なる箱状の物で束ねる時に箱から取り出さなければならない。束ねる紐も上手く縛ることが出来ない。紐をセットする形の物も、紐の長さに切る事や束ねる際の動作が簡単に出来ない。置き場所も、居間に置いても便利な物となる新聞入れとしたい。
【課題を解決するための手段】
【０００４】  上記課題を解決するために本考案は、新聞を取り出さないで束ねられる様に、箱の底と周りに巻紐の紐を切らずにセットする様にし、簡単に縛れる箱の形状にする事と中蓋を設けて、どの部屋に置いても便利な古新聞、雑誌の結束箱を提供する。
具体的には、
第一の考案は、底板と、前記底板の対向する２辺に４枚立設する側面板（大）と、前記側面板（大）から内側に向け直交連設して底板に立設する４枚の側面板（小）と、前記側面板（大）から同一方向の外側に延設され底板に立設する４枚の外板と、古紙、新聞紙を束ねる紐が巻かれた巻紐と、前記底板に連設して設けられた前記巻紐を収納する巻紐置箱とからなり、前記側面板（大）及び側面板（小）は、それぞれ隙間を空けて前記側面板に立設し、その隙間に位置する前記底板上面には一段窪んだ紐通し溝が穿設されており、前記紐を切らずに前記底板の前記紐通し溝から前記底板から立設する前記各板外部側面へと８の字に通す、二重縛りをするには前記紐を切らずに８の字を二回り通して置き、その上に新聞が溜まり縛る時に前記８の字の紐の４隅を持ち上げることで、古紙、新聞紙を取り出さずに束ねる事が出来る古新聞、雑誌の結束箱とし、
第二の考案は、前記側面板（大）、（小）及び外板は、古新聞、雑誌を縛り上げる際、セットした前記紐がスムーズに移動する様に縁を曲線状にして、中蓋を付けて上部を有効利用出来ることを特徴とする請求項１に記載の古新聞、雑誌の結束箱とした。
【考案の効果】
【０００５】  本考案は、古新聞入れに予め箱の内部底面から外部側面板へと紐を８の字にセットして置く、二重縛りをするには紐を切らずに８の字を二回りして置けば、読み終わった新聞を従来と同じに重ねる様に入れて置くだけで、束ねる時は、紐を２隅持ち上げクロスさせ縛るだけで、束ねた古新聞は箱からするりと取り出せる。紐は、市販されている物を使用し、外巻の紐、内巻の紐のどちらもそのまま使用出来て、紐の切り無駄が生じず経済的である。中蓋の上にぬいぐるみや飾り物を置ける様にして、部屋に置いても邪魔に成らない物であって、使用者は、女性や高齢者でも簡単に束ねる事が出来る古新聞、雑誌の結束箱が提供出来る。
【図面の簡単な説明】
【０００６】
【図１】本考案による、古新聞、雑誌の結束箱を示す斜視図である。
【図２】本考案による、古新聞、雑誌の結束箱を示す断面図である。
【図３】本考案により紐のセットを示す平面図である。
【図４】本考案により紐の縛り上げを示す斜視図である。
【図５】本考案による、中蓋を示す斜視図である。
【考案を実施するための形態】
【０００７】  本考案を実施するための形態を、以下図に基づき説明する。
【実施例１】
【０００８】  図１に示す古新聞、雑誌の結束箱は、底板４と、底板の対向する辺側に、古新聞の重ね高さが分かる様にメモリ９を付けて立設した４枚の側面板（大）１と、側面板（大）１から内側に向け直交連設して底板４に立設する４枚の側面板（小）２と、側面板（大）１から同一方向の外側に延設され底板４に立設する４枚の外板３とからなり、底板４に、巻紐６を置く巻紐置箱５を付けるとよい。側面板（大）１の間、側面板（小）２の間はそれぞれ隙間があり、一段窪んだ紐通し溝７とした。【０００９】  側面板（大）１（小）２は、紐１２を図３に示す通り古新聞、雑誌の結束箱の内部底面から外部側面へと紐を切らずに８の字に通して、底板４上で紐１２がクロスする様にセットするため底板４まで４か所隙間を空ける。底板４にはクロス状にセットした紐１２が、古新聞を縛る時に床板に接しないように、古新聞をスムーズに締め付ける事が出来る様に紐通し溝７を設け、紐１２を通す。【００１０】  本考案の古新聞、雑誌の結束箱は、前項で記すセットした紐１２が、図４で示す様に、２隅を持ち上げて紐を結束するために用いられる。それには、図２に示す側面板（大）１、側面板（小）２、外板３の全てを曲線状にして２隅の紐がスムーズに持ち上がるようにするとよい。【００１１】  また、束ねた古新聞、雑誌が、するりと箱から取り出せる様に、側面板（大）１、側面板（小）２、外板３間は、それぞれ上方に向くに従って距離が開き、底より開口を広げる様にするとよい。巻紐置箱５は、巻紐６が安定する様に帯板１２で囲うとよい。巻紐置箱５の空きスペースは、ハサミやマジックの入れ物として使える。また、帯板８は８の字に通した紐１２を外から見えないように隠すようにし、デザインを兼ねて底板４の周囲に設けると見た目が良くなる。この古新聞、雑誌の結束箱は、合成樹脂系、木製で製造出来、木工とプラスチック加工とのコラボレーションも考えられる。【００１２】  また、本考案の古新聞、雑誌の結束箱に、図５に示す取手１１を付けた中蓋１０を、側面板（大）１、側面板（小）２の間に入れて、古新聞、雑誌の上に位置させる。中蓋１０は、ぬいぐるみやフィギィアの飾り物、身近な小物を置けるようになる。新聞が溜まると徐々に中蓋１０が上に上がる仕掛けにして、部屋の一部にも置いて便利な物となるデザインになる。
【符号の説明】
【００１３】      １    側面板（大）
２    側面板（小）
３    外板
４    底板
５    巻紐置箱
６    巻紐
７    紐通し溝
８    帯板
９    メモリ
１０    中蓋
１１    取手
１２    紐
【図１】
0003202216.tif 000003
【図２】
0003202216.tif 000004
【図３】
0003202216.tif 000005
【図４】
0003202216.tif 000006
【図５】
0003202216.tif 000007